(57)【要約】【課題】  屋根を改装する際に、改装後の雰囲気を明確に把握することができる改装前後の家屋表示媒体及びその作成方法を提供すること。【解決手段】  本発明に係る改装前後の家屋表示媒体は、改装すべき家屋の全体を、その周辺風景と共に斜め上方から撮影して得られた第一のデジタル画像データと、前記第一のデジタル画像データにおける家屋の屋根部分を、別途に作成され予め記憶させた複数の屋根改装後の状態を示すデジタル屋根画像データから選択した一つの改装後のデジタル屋根画像データに置き換え組み合わせることにより改装後の屋根を持つ家屋の状態を描写した第二のデジタル画像データとを、上下又は左右に並列して配置した状態で表示することを特徴とする。【選択図】    図３
2008144545.tif 000002
【特許請求の範囲】
【請求項１】
改装すべき家屋の全体を、その周辺風景と共に斜め上方から撮影して得られた第一のデジタル画像データと、
前記第一のデジタル画像データにおける家屋の屋根部分を、別途に作成され予め記憶させた複数の屋根改装後の状態を示すデジタル屋根画像データから選択した一つの改装後のデジタル屋根画像データに置き換え組み合わせることにより改装後の屋根を持つ家屋の状態を描写した第二のデジタル画像データとを、
上下又は左右に並列して配置した状態で表示する
ことを特徴とする改装前後の家屋表示媒体。
【請求項２】
改装すべき家屋の全体を、その周辺風景と共に斜め上方から撮影して得られた第一のデジタル画像データを記憶媒体に記憶させ、
前記記憶媒体に記憶させた該第一のデジタル画像データを、デジタル画像加工装置で読み出し、
デジタル画像加工装置において、読み出した該第一のデジタル画像データにおける家屋の屋根部分を、別途に作成され予め記憶させた複数の屋根改装後の状態を示すデジタル屋根画像データから選択した一つの改装後のデジタル屋根画像データに置き換え組み合わせることにより改装後の屋根を持つ家屋の状態を描写した第二のデジタル画像データを作成し、
前記第一及び第二のデジタル画像データを、上下又は左右に並列して配置した第三のデジタル画像データを印刷装置で印刷する
ことを特徴とする改装前後の家屋表示媒体作成方法。
【発明の詳細な説明】
【技術分野】
【０００１】
本発明は、家屋の改装、即ちリフォームの提案等に用いられる改装前後の家屋の状態を表示する表示媒体及びその作成方法に関する。
【背景技術】
【０００２】
従来から、家屋の改装を行う前に、改装後の家屋の雰囲気を確認するために、改装後の家屋を画像で確認することが行われている。
改装後の家屋の画像には、通常、予め改装工事リフォーム会社が、全ての顧客に共通に使えるように用意したサンプル画像又は過去に実際に改装した改装後の他人の家屋の画像が用いられる。
【発明の開示】
【発明が解決しようとする課題】
【０００３】
しかし、予めリフォーム会社が用意したサンプル画像は、モデルハウスやモデルルーム等を撮影した画像であるため、実際に改装を行う家屋とは、家屋の大きさや形状が異なるので改装後の家屋の雰囲気が把握し難いという問題がある。
過去に実際に改装した他人の家屋の画像についても同様の問題がある。
特に、屋根の改装の場合、家屋の大きさや形状に加えて、壁の色、窓の位置、ドアの位置、及び周辺の風景（例えば、敷地内の風景や近隣の家屋等）等が分からなければ改装後の家屋の雰囲気が把握し難いため、サンプル画像や他人の家屋の画像では全く雰囲気が掴めない。
本発明は、上記した従来の問題点に鑑みて、屋根を改装する際に、改装後の雰囲気を明確に把握することができる改装前後の家屋表示媒体及びその作成方法を提供することを目的としている。
【課題を解決するための手段】
【０００４】
上記した目的を達成するために本発明に係る改装前後の家屋表示媒体は、改装すべき家屋の全体を、その周辺風景と共に斜め上方から撮影して得られた第一のデジタル画像データと、前記第一のデジタル画像データにおける家屋の屋根部分を、別途に作成され予め記憶させた複数の屋根改装後の状態を示すデジタル屋根画像データから選択した一つの改装後のデジタル屋根画像データに置き換え組み合わせることにより改装後の屋根を持つ家屋の状態を描写した第二のデジタル画像データとを、上下又は左右に並列して配置した状態で表示することを特徴とする。
また、本発明に係る家屋表示媒体作成方法は、改装すべき家屋の全体を、その周辺風景と共に斜め上方から撮影して得られた第一のデジタル画像データを記憶媒体に記憶させ、前記記憶媒体に記憶させた該第一のデジタル画像データを、デジタル画像加工装置で読み出し、デジタル画像加工装置において、読み出した該第一のデジタル画像データにおける家屋の屋根部分を、別途に作成され予め記憶させた複数の屋根改装後の状態を示すデジタル屋根画像データから選択した一つの改装後のデジタル屋根画像データに置き換え組み合わせることにより改装後の屋根を持つ家屋の状態を描写した第二のデジタル画像データを作成し、前記第一及び第二のデジタル画像データを、上下又は左右に並列して配置した第三のデジタル画像データを印刷装置で印刷することを特徴とする。
【発明の効果】
【０００５】
本発明に係る改装前後の家屋表示媒体は、改装すべき家屋の全体を、その周辺風景と共に斜め上方から撮影して得られた第一のデジタル画像データを用いて、家屋の屋根部分を別途に作成され予め記憶させた複数の屋根改装後の状態を示すデジタル屋根画像データから選択した一つの改装後のデジタル屋根画像データに置き換え組み合わせることにより改装後の屋根を持つ家屋の状態を描写した第二のデジタル画像データを作成し、前記第一及び第二のデジタル画像データを、上下又は左右に並列して配置した状態で表示するので、比較対照により、屋根の改装前後の家屋の状態を明瞭に認識することが可能になる。
また、本発明に係る改装前後の家屋表示媒体は、第一及び第二のデジタル画像データが、家屋の一部ではなく家屋全体とその周辺風景を含んでおり、かつ、斜め上方から撮影して得られたデジタル画像データに基づくものであるので、屋根の改装前後の家屋の状態を、家屋の大きさや形状、家屋の壁の色、家屋の窓の位置、家屋のドアの位置、敷地内の風景及び近隣の家屋等との関係とを踏まえて立体的に把握することができる。
さらに、本発明に係る改装前後の家屋表示媒体作成方法は、改装すべき家屋の全体を、その周辺風景と共に斜め上方から撮影して得られた第一のデジタル画像データを記憶媒体に記憶させ、前記記憶媒体に記憶させた該第一のデジタル画像データを、デジタル画像加工装置で読み出し、デジタル画像加工装置において、読み出した該第一のデジタル画像データにおける家屋の屋根部分を、別途に作成され予め記憶させた複数の屋根改装後の状態を示すデジタル屋根画像データから選択した一つの改装後のデジタル屋根画像データに置き換え組み合わせることにより改装後の屋根を持つ家屋の状態を描写した第二のデジタル画像データを作成し、前記第一及び第二のデジタル画像データを、上下又は左右に並列して配置した第三のデジタル画像データを印刷装置で印刷するので、上記した効果を有する家屋表示媒体を容易に作成することができる。
【発明を実施するための最良の形態】
【０００６】
以下、添付図面に示した一実施例を参照して、本発明に係る改装前後の家屋表示媒体及びその作成方法の実施の形態を説明していく。
図１は、本発明に係る改装前後の家屋表示媒体を作成する家屋表示媒体作成システムの概略ブロック図である。
図１に示すように、家屋表示媒体作成システムは、
改装すべき家屋の全体を、その周辺風景と共に斜め上方から撮影して得られた第一のデジタル画像データＡを記憶する記憶媒体１と、
前記記憶媒体１から第一のデジタル画像データＡを読出し、該第一のデジタル画像データＡを加工して第二のデジタル画像データＢを作成すると共に、前記第一及び第二のデジタル画像データＡ及びＢを上下又は左右に並列に配置した第三のデジタル画像データＣを作成するデジタル画像加工装置２と、
前記デジタル画像加工装置２で作成した第三のデジタル画像データＣを、適当な用紙に印刷して改装前後の家屋表示媒体とする印刷装置３とを有する。
【０００７】
前記記憶媒体１に記憶される第一のデジタル画像データＡは、ヘリコプターや航空機等からデジタルカメラを用いて撮影され得る。また、第一のデジタル画像データＡとして、予め他の目的で撮影された航空写真を用いることもできる。このように家屋を上空から撮影することによって、地上からの撮影と異なり、第一のデジタル画像データＡに、周辺風景と家屋全体とを含めることができるので、改装すべき家屋を立体的に把握することが可能になる。
前記記憶媒体１としては、例えば、記憶手段又はＣＤ−ＲＯＭ、ＤＶＤ−ＲＯＭ又はＵＳＢメモリ等の携帯型の記憶媒体を用いることができる。また、ハードディスク等の固定型の記憶媒体を用いることもできる。
【０００８】
デジタル画像加工装置２は、
別途に作成した複数種類の屋根改装後の状態を示すデジタル屋根画像データを予め記憶した記憶部２ａと、
前記記憶部２ａに記憶されたデジタル屋根画像データの中から一つの改装後のデジタル屋根画像データを選択し、選択したデジタル屋根画像データを、前記第一のデジタル画像データＡにおける家屋の屋根部分に置き換えて組み合わせて第二のデジタル画像データＢを作成するための画像加工部２ｂと、
前記第一及び第二のデジタル画像データＡ及びＢを上下又は左右に並列に配置した第三のデジタル画像データＣを作成するレイアウト部２ｃと
を有する。
前記画像加工部２ｂにおける家屋の屋根部分の加工は、例えば、第一のデジタル画像データＡにおける家屋の屋根の範囲を指定して範囲指定した領域に、選択したデジタル屋根画像データをパターン化して貼り付ける方法等、任意の画像加工方法で行われ得る。
尚、図示していないが、前記デジタル画像加工装置２は、モニター、キーボード及びマウス等の画像の加工時に必要な構成部材を備えている。
また、前記デジタル画像加工装置２は、必要に応じて、加工後の第二のデジタル画像データＢ及び／又は第三のデジタル画像加工データＣを記憶部２ａ等の任意の記憶媒体に記憶させることができる。
尚、上記したデジタル画像加工装置２は、適当な画像処理ソフトウェアを備えたパーソナルコンピュータで構成され得る。
【０００９】
印刷装置３は、前記デジタル画像加工装置２で作成した第三のデジタル画像データＣを、適当な用紙に印刷する。印刷された用紙が、改装前後の家屋表示媒体である。
尚、印刷すべき用紙の大きさや種類に制限はなく、既存の任意の用紙を用いることができる。
印刷装置３は、パーソナルコンピュータに接続可能なプリンタで構成され得る。
【００１０】
次に、図２を参照しながら、本発明に係る改装前後の家屋表示媒体作成方法の一実施例を説明していく。図２は、本発明に係る改装前後の家屋表示媒体作成方法の工程を示すフローチャートである。
図２に示すように、始めに改装すべき家屋を、その周辺風景と共に斜め上方から撮影した第一のデジタル画像データＡを適当な記憶媒体１に記憶させる（ステップ１）。
次に、デジタル画像加工装置２を用いて記憶媒体１から第一のデジタル画像データＡを読み出す（ステップ２）。
デジタル画像加工装置２において、第一のデジタル画像データの読出し後、任意のデジタル屋根画像データの選択を行い、選択したデジタル屋根画像データを、前記第一のデジタル画像データＡにおける家屋の屋根部分に置き換えて組み合わせて第二のデジタル画像データＢを作成する（ステップ３）。尚、このステップ３においては、必要に応じて、第一のデジタル画像データＡの屋根以外の部分についても予め記憶部２ａに記憶させた画像データを用いて加工を行うことができる。屋根以外の部分としては、例えば、敷地内の物置、駐車場又は塀等の構造物や敷地内の地面（芝生・土・コンクリート）等があり得る。
次いで、デジタル画像加工装置２において、前記第一のデジタル画像データＡと、作成した第二のデジタル画像データＢとを上下又は左右にレイアウトして第三のデジタル画像データＣを作成する（ステップ４）。
最後に、デジタル画像加工装置２において、作成した第三のデジタル画像データＣを印刷装置３を用いて適当な用紙に印刷して改装前後の家屋表示媒体は完成する（ステップ５）。
図３は、上記した方法を用いて実際に製造した改装前後の家屋表示媒体の一例を示す図である。
図３において、第一のデジタル画像データＡと第二のデジタル画像データＢとは上下にレイアウトされており、第二のデジタル画像データＢでは、第一のデジタル画像データＡにおける家屋の屋根部分１０に加えて、敷地内の物置１１及び地面１２が加工されている。
【図面の簡単な説明】
【００１１】
【図１】本発明に係る改装前後の家屋表示媒体を作成する家屋表示媒体作成システムの概略ブロック図である。
【図２】本発明に係る改装前後の家屋表示媒体作成方法の工程を示すフローチャートである。
【図３】本発明に係る改装前後の家屋表示媒体の一例を示す図である。
【符号の説明】
【００１２】
Ａ  第一のデジタル画像データ
Ｂ  第二のデジタル画像データ
Ｃ  第三のデジタル画像データ
１  記憶媒体
２  デジタル画像加工装置
２ａ  記憶部
２ｂ  画像加工部
２ｃ  レイアウト部
３  印刷装置
１０  屋根部分
１１  物置
１２  地面
【図１】
2008144545.tif 000003
【図２】
2008144545.tif 000004
【図３】
2008144545.tif 000005